(57)【特許請求の範囲】
【請求項１】
配管を抱持するバンド抱持部と、該バンド抱持部の上端部にバンド端部と、を有し、
前記バンド端部に、タンバックルの如き接続部材を接続することにより、配管の固定支持が可能な配管支持具において、
前記バンド抱持部を配管軸方向から正面視した際に、該バンド抱持部が構成する円を略４等分する位置の各々に、該バンド抱持部に抱持される配管の外周面に当接して押圧支持する配管押圧支持部が設けられており、
該配管押圧支持部は、前記バンド抱持部の縁部の一部を前記円の中心方向に向かって切り起して形成されている構成であること、
を特徴とする配管支持具。
【請求項２】
前記配管押圧支持部が、前記バンド抱持部を配管軸方向から正面視した際の手前側の縁部の４等分する位置の各々と奥側の縁部の４等分する位置の各々の両方の４等分する位置の全てに設けられていることを特徴とする請求項１に記載の配管支持具。
【請求項３】
前記配管押圧支持部が、前記バンド抱持部を配管軸方向から正面視した際の手前側の縁部の４等分する位置の内の少なくとも２箇所と奥側の縁部の４等分する位置の内の少なくとも２箇所の位置に設けられており、
前記バンド抱持部を配管軸方向から正面視した際に前記４等分の位置の各々に前記配管押圧支持部が必ず配設されるように設けられている構成であること、
を特徴とする請求項１に記載の配管支持具。
【請求項４】
前記バンド抱持部が、弾性又は可撓性を有する１本の帯状バンド体を環状に彎曲させた構成であり、この１本の帯状バンド体の両端部に前記バンド端部が連設された構成であることを特徴とする請求項１〜３のいずれかに記載の配管支持具。
【請求項５】
前記バンド抱持部が、２つの略半円状部材を組み合わせた構成であり、この２つの略半円状部材の上端部に前記バンド端部が連設されると共に、下端部を組式又は蝶番式の接続部により拡開可能に接続された構成であることを特徴とする請求項１〜３のいずれかに記載の配管支持具。
【請求項６】
前記配管押圧支持部が、当接する配管の外周面の曲面に対応する曲線加工部を有して配管の外周面に線接触することによって押圧支持する構成であることを特徴とする請求項１〜５のいずれかに記載の配管支持具。
【請求項７】
前記配管押圧支持部が、該配管押圧支持部の先端が配管側に折曲加工された先端折曲部を有し、この先端折曲部が配管の外周面に面接触することによって押圧支持する構成であることを特徴とする請求項６に記載の配管支持具。
【請求項８】
前記配管押圧支持部が、波状又はジグザグ状に折曲加工された折曲加工部を有し、この折曲加工部が配管の外周面に複数の当接箇所によって押圧支持する構成であることを特徴とする請求項１〜５のいずれかに記載の配管吊下支持具。
【請求項９】
前記配管押圧支持部が、波状又はジグザグ状に切欠加工された切欠加工部を有し、この切欠加工部が配管の外周面に複数の当接箇所によって押圧支持する構成であることを特徴とする請求項１〜５のいずれかに記載の配管支持具。
【発明の詳細な説明】
【技術分野】
【０００１】
本発明は配管支持具に関し、詳しくは合成樹脂製配管の抱持支持に用いて適切な配管支持具に関する。
【背景技術】
【０００２】
給水管、給湯管、排水管等の種々配管類を吊下支持或いは立て管支持するために抱持バンドを有する配管支持具が用いられている（例えば、特許文献１等参照）。
【０００３】
この種の配管支持具は、半割状の環状部材から成るバンド部と該バンド部の端部に連設された接続部にタンバックルを接続固定し、このタンバックルを天井スラブ等から垂設された吊りボルトや壁面スラブ等から立設された立ちボルトに緊締することにより固定支持する構成を有している。
【先行技術文献】
【特許文献】
【０００４】
【特許文献１】特開平０９−１２６２１６号
【発明の概要】
【発明が解決しようとする課題】
【０００５】
種々の配管類は、近年、鋼管に代わって合成樹脂管（ポリエチレン管、架橋ポリエチレン管、ポリブデン管、塩化ビニル管、プロピレン管、ＡＢＳ管等）が用いられるようになってきている。
【０００６】
合成樹脂管は、耐蝕性や取扱性等の点で鋼管に比して優れている点もあるが、表面が滑り易いために配管支持具による抱持性に問題がある。即ち、ウォーターハンマー現象等の振動によって軸方向に滑って位置ズレを起し易く、経時的には複数の配管同士の接  続部に負荷が掛かってしまうおそれを有している。
【０００７】
そこで本発明の課題は、滑り易い表面を有する合成樹脂管であっても適切な配管抱持による支持が可能な配管支持具を提供することにある。
【課題を解決するための手段】
【０００８】
上記課題を解決する本発明は下記構成を有する。
【０００９】
１．配管を抱持するバンド抱持部と、該バンド抱持部の上端部にバンド端部と、を有し、
前記バンド端部に、タンバックルの如き接続部材を接続することにより、配管の固定支持が可能な配管支持具において、
前記バンド抱持部を配管軸方向から正面視した際に、該バンド抱持部が構成する円を略４等分する位置の各々に、該バンド抱持部に抱持される配管の外周面に当接して押圧支持する配管押圧支持部が設けられており、
該配管押圧支持部は、前記バンド抱持部の縁部の一部を前記円の中心方向に向かって切り起して形成されている構成であること、
を特徴とする配管支持具。
【００１０】
２．前記配管押圧支持部が、前記バンド抱持部を配管軸方向から正面視した際の手前側の縁部の４等分する位置の各々と奥側の縁部の４等分する位置の各々の両方の４等分する位置の全てに設けられていることを特徴とする上記１に記載の配管支持具。
【００１１】
３．前記配管押圧支持部が、前記バンド抱持部を配管軸方向から正面視した際の手前側の縁部の４等分する位置の内の少なくとも２箇所と奥側の縁部の４等分する位置の内の少なくとも２箇所の位置に設けられており、
前記バンド抱持部を配管軸方向から正面視した際に前記４等分の位置の各々に前記配管押圧支持部が必ず配設されるように設けられている構成であること、
を特徴とする上記１に記載の配管支持具。
【００１２】
４．前記バンド抱持部が、弾性又は可撓性を有する１本の帯状バンド体を環状に彎曲させた構成であり、この１本の帯状バンド体の両端部に前記バンド端部が連設された構成であることを特徴とする上記１〜３のいずれかに記載の配管吊下支持具。
【００１３】
５．前記バンド抱持部が、２つの略半円状部材を組み合わせた構成であり、この２つの略半円状部材の上端部に前記バンド端部が連設されると共に、下端部を組式又は蝶番式の接続部により拡開可能に接続された構成であることを特徴とする上記１〜３のいずれかに記載の配管支持具。
【００１４】
６．前記配管押圧支持部が、当接する配管の外周面の曲面に対応する曲線加工部を有して配管の外周面に線接触することによって押圧支持する構成であることを特徴とする上記１〜５のいずれかに記載の配管支持具。
【００１５】
７．前記配管押圧支持部が、該配管押圧支持部の先端が配管側に折曲加工された先端折曲部を有し、この先端折曲部が配管の外周面に面接触することによって押圧支持する構成であることを特徴とする上記６に記載の配管支持具。
【００１６】
８．前記配管押圧支持部が、波状又はジグザグ状に折曲加工された折曲加工部を有し、この折曲加工部が配管の外周面に複数の当接箇所によって押圧支持する構成であることを特徴とする上記１〜５のいずれかに記載の配管支持具。
【００１７】
９．前記配管押圧支持部が、波状又はジグザグ状に切欠加工された切欠加工部を有し、この切欠加工部が配管の外周面に複数の当接箇所によって押圧支持する構成であることを特徴とする上記１〜５のいずれかに記載の配管支持具。
【発明の効果】
【００１８】
請求項１に示す発明によれば、滑り易い表面を有する合成樹脂管であっても適切な配管抱持による支持が可能な配管支持具を提供することができる。
【００１９】
特に、バンド抱持部が構成する円を略４等分する位置の各々に配管押圧支持部が設けられているので、該バンド抱持部に抱持支持する配管をその外周面を押圧することによって確実に安定した状態での抱持支持が可能となる。
しかも、配管押圧支持部は、バンド抱持部の一部を切り起こすだけで加工可能であるため、別部材を付加することもないし、切り取り加工等によって廃棄が必要となる部材も生じることもなく、低コスト化が可能なだけでなく、環境適正にも優れている。
【００２０】
請求項２に示す発明によれば、バンド抱持部を配管軸方向から正面視した際の手前側の縁部と奥側の縁部の各々の４等分する位置の全てに設けられている配管押圧支持部によって該バンド抱持部に抱持支持する配管を押圧支持する構成なので、極めて安定した抱持支持が可能である。
【００２１】
請求項３に示す発明によれば、バンド抱持部を配管軸方向から正面視した際の手前側の縁部と奥側の縁部を合わせた状態で４等分する位置の各々に設けられている配管押圧支持部によって該バンド抱持部に抱持支持する配管を押圧支持する構成なので、安定した抱持支持が可能である。
【００２２】
請求項４に示す発明によれば、いわゆる提灯式の配管支持バンドと呼ばれる簡易な構成の配管支持バンドを基本構成とすることにより単価を下げることができるので低コスト化が可能である。
【００２３】
請求項５に示す発明によれば、組式又は蝶番式の接続部を有する一般的な構成の配管支持バンドに容易に適用することが可能である。
【００２４】
請求項６に示す発明によれば、配管の外周面に対して配管押圧支持部の曲線加工部を線接触させることができるので接触面積が大きくなり押圧支持効果を向上させることができる。
【００２５】
請求項７に示す発明によれば、上記請求項６に示す発明に比べ、押圧当接時の配管への負荷を軽減させることができる。
ることができる。
【００２６】
請求項８に示す発明によれば、配管の外周面に対して配管押圧支持部の折曲加工部が引っ掛かるように押圧当接することになるので押圧支持効果を向上させることができる。
【００２７】
請求項８に示す発明によれば、配管の外周面に対して配管押圧支持部の切欠加工部が引っ掛かるように又は食込むように押圧当接することになるので押圧支持効果を向上させることができる。
【図面の簡単な説明】
【００２８】
【図１】本発明に係る配管支持具の一実施例を示す８面図（正面図、背面図、平面図、底面図、左側面図、右側面図図、Ａ−Ａ断面図、Ｂ−Ｂ断面図）
【図２】配管押圧支持部の一例を示す要部拡大正面図
【図３】配管押圧支持部の他の一例を示す要部拡大正面図
【図４】配管押圧支持部の他の一例を示す要部拡大正面図
【図５】配管押圧支持部の他の一例を示す要部拡大正面図
【図６】本発明に係る配管支持具の一実施例を示す８面図（正面図、背面図、平面図、底面図、左側面図、右側面図図、Ｃ−Ｃ断面図、Ｄ−Ｄ断面図）
【発明を実施するための形態】
【００２９】
次に、添付の図面に従って本発明について詳細に説明する。
【００３０】
本発明に係る配管支持具は、給水管、給湯管、排水管等の種々配管類を吊下支持或いは立て管支持するものであり、配管を抱持するバンド抱持部の上端部に連設されたバンド端部にタンバックル等の接続部材を接続し、このタンバックルを天井スラブ等から垂設された吊りボルトや壁面スラブ等から立設された立ちボルトに緊締することにより固定支持するものである。
【００３１】
抱持支持する種々の配管類としては、従来一般的であった鋼管は勿論のこと、この鋼管に代わって近年多く用いられるようになった合成樹脂管（ポリエチレン管、架橋ポリエチレン管、ポリブデン管、塩化ビニル管、プロピレン管、ＡＢＳ管等）の固定支持に本発明は特に有効である。
【００３２】
本発明の配管支持具１の具体的構成例としては、図１に示すように、
配管支持具１は、配管（図示を省略）を抱持するバンド抱持部１１と、該バンド抱持部１１の上端部にバンド端部１２と、を有し、
前記バンド端部１２に、タンバックルの如き接続部材（図示を省略）を接続することにより、配管の固定支持が可能な構成において、
前記バンド抱持部１１を配管軸方向から正面視した際に、該バンド抱持部１１が構成する円を略４等分する位置の各々に、該バンド抱持部１１に抱持される配管の外周面に当接して押圧支持する配管押圧支持部１３が設けられており、
該配管押圧支持部１３は、前記バンド抱持部１１の縁部の一部を前記円の中心方向に向かって切り起して形成されている構成である。
【００３３】
図１に示す本実施例では、前記配管押圧支持部１３は、前記バンド抱持部１１を配管軸方向から正面視した際の手前側の縁部１１Ｅの４等分する位置の各々（符号１３Ａ・１３Ｂ・１３Ｃ・１３Ｄで示す。）と奥側の縁部１１Ｆの４等分する位置の各々（符号１３ａ・１３ｂ・１３ｃ・１３ｄ）の両方の４等分する位置の全て、即ち、８つの配管押圧支持部１３（１３Ａ・１３Ｂ・１３Ｃ・１３Ｄ・１３ａ・１３ｂ・１３ｃ・１３ｄ）が合計８箇所に設けられている。
【００３４】
また、図１に示す本実施例では、前記バンド抱持部１１は、弾性又は可撓性を有する１本の帯状バンド体を環状に彎曲させただけの構成によって、最下部に接続部の無い、いわゆる提灯式の配管支持バンドと呼ばれる簡易な構成の配管支持バンドを基本構成としている。基本構成を提灯式とすることによって、バンド抱持部１１の最下部に接続部を有する一般的な構成の配管支持バンドに比して、より単価を下げることができるので低コスト化が可能である。
【００３５】
尚、図１に示す符号１１Ａ・１１Ｂ・１１Ｃ・１１Ｄは、配管押圧支持部１３Ａ・１３Ｂ・１３Ｃ・１３Ｄが切り起こされることで切欠部となったバンド抱持部１１の被切起し部であり、符号１１ａ・１１ｂ・１１ｃ・１１ｄは、配管押圧支持部１３ａ・１３ｂ・１３ｃ・１３ｄが切り起こされることで切欠部となったバンド抱持部１１の被切起し部であり、る。尚また、図１に示す符号２は、バンド端部１２をタンバックル等の接続部材と接続固定する際に緊締するボルト・ナットである。
【００３６】
以上の構成を有する本発明の配管支持具１は、バンド抱持部１１の手前側の縁部１１Ｅの４等分する位置の各々（符号１３Ａ・１３Ｂ・１３Ｃ・１３Ｄで示す。）と奥側の縁部１１Ｆの４等分する位置の各々（符号１３ａ・１３ｂ・１３ｃ・１３ｄ）の両方の４等分する位置に、合計８つの配管押圧支持部１３（１３Ａ・１３Ｂ・１３Ｃ・１３Ｄ・１３ａ・１３ｂ・１３ｃ・１３ｄ）が設けられているので、該バンド抱持部１１に抱持支持する配管をその外周面を押圧することによって確実に安定した状態での抱持支持が可能となる。
しかも、配管押圧支持部１３（１３Ａ・１３Ｂ・１３Ｃ・１３Ｄ・１３ａ・１３ｂ・１３ｃ・１３ｄ）は、バンド抱持部１１の一部を切り起こすだけで加工可能であるため、別部材を付加することもないし、切り取り加工等によって廃棄が必要となる部材も生じることもなく、低コスト化が可能なだけでなく、環境適正にも優れている。
【００３７】
以上、本発明に係る配管支持具について説明したが、本発明は上記実施例に限定されず、本発明の範囲内において種々の他の態様を採ることもできる。
【００３８】
例えば、バンド抱持部１１の基本構成は、上記実施例では一本の帯状バンド体から成るいわゆる提灯式の構成であるが、バンド抱持部が２つの略半円状部材を組み合わせた構成であり、この２つの略半円状部材の上端部に前記バンド端部が連設されると共に、下端部を組式又は蝶番式の接続部により拡開可能に接続された構成、即ち、一般的な配管支持バンド構成を基本構成とすることもできる。
【００３９】
また、配管押圧支持部１３は、上記実施例ではバンド抱持部１１の一部を切起したままであるが、例えば、図２に示すように、当接する配管の外周面の曲面に対応する曲線加工部１３Ｅを有して配管の外周面に線接触によって押圧支持する構成とすることも好ましい。かかる構成によれば、配管の外周面に対して配管押圧支持部１３の曲線加工部１３Ｅを線接触させることができるので接触面積が大きくなり押圧支持効果を向上させることができる。
【００４０】
また、図２に示す曲線加工部１３Ｅは、図３に示すようにその先端を配管側に折曲加工した折曲加工部１３Ｆとすれば、配管への当接が線接触から面接触と成るので前記曲線加工部１３Ｅに比べて押圧支持時の配管への負荷を軽減させつつ押圧支持効果を向上させることができる。
【００４１】
更に、図４に示すように、波状又はジグザグ状に折曲加工された折曲加工部１３Ｇが配管の外周面に複数の当接箇所によって押圧支持する構成とすることも好ましい。かかる構成によれば、配管の外周面に対して配管押圧支持部１３の折曲加工部１３Ｇが引っ掛かるように押圧当接することになるので押圧支持効果を向上させることができる。
【００４２】
更に、図５に示すように、波状又はジグザグ状に切欠加工された切欠加工部１３Ｈが配管の外周面に引掛け又は食込み接触することによって押圧支持する構成とすることも好ましい。かかる構成によれば、配管の外周面に対して配管押圧支持部１３の切欠加工部１３Ｈが引っ掛かるように又は食込むように押圧当接することになるので押圧支持効果を向上させることができる。
【００４３】
更に、配管押圧支持部１３（１３Ａ・１３Ｂ・１３Ｃ・１３Ｄ・１３ａ・１３ｂ・１３ｃ・１３ｄ）の各々について、各々の切起した基点部分をスポット溶接の如き補強手段を用いて補強する構成が好ましく、かかる構成によれば、切起し部分の破断や裂けを抑制できるので、この切起した起点部分の強度を高くすることができる。
【００４４】
更にまた上記実施例では、配管押圧支持部１３は、バンド抱持部１１の手前側の縁部１１Ｅの４等分する位置の各々（符号１３Ａ・１３Ｂ・１３Ｃ・１３Ｄで示す。）と奥側の縁部１１Ｆの４等分する位置の各々（符号１３ａ・１３ｂ・１３ｃ・１３ｄ）の両方の４等分する位置に、合計８つが設けられてた構成であるが、図６に示すように、バンド抱持部１１を配管軸方向から正面視した際の手前側の縁部１１Ｅと奥側の縁部１１Ｆを合わせた状態で４等分する位置の各々に設けられていればよい。
即ち、図６では、手前側の縁部１１Ｅに配管押圧部１３Ａ・１３Ｄの２つが設けられており、奥側の縁部１１Ｆに配管押圧部１３Ｂ・１３Ｃの２つが設けられており、この合計４つの配管押圧部１３Ａ・１３ｂ・１３ｃ・１３Ｄによって、バンド抱持部１１に抱持支持する配管を押圧支持する構成なので、安定した抱持支持が可能である。
【符号の説明】
【００４５】
１  配管支持具
１１  バンド抱持部
１１Ａ・１１Ｂ・１１Ｃ・１１Ｄ  被切起し部
１１ａ・１１ｂ・１１ｃ・１１ｄ  被切起し部
１１Ｅ  手前側の縁部
１１Ｆ  奥側の縁部
１２  バンド端部
１３  配管押圧支持部
１３Ａ・１３Ｂ・１３Ｃ・１３Ｄ  （手前側の縁部に設けられた）配管押圧支持部
１３ａ・１３ｂ・１３ｃ・１３ｄ  （奥側の縁部に設けられた）配管押圧支持部
１３Ｅ  曲線加工部
１３Ｆ  先端折曲部
１３Ｇ  折曲加工部
１３Ｈ  切欠加工部
２  ボルト・ナット
【要約】      （修正有）【課題】滑り易い表面を有する合成樹脂管であっても適切な配管抱持による支持が可能な配管支持具を提供する。【解決手段】配管を抱持するバンド抱持部１１と、バンド抱持部の上端部にバンド端部１２と、を有し、バンド端部に、タンバックルの如き接続部材を接続することにより、配管の固定支持が可能な配管支持具において、バンド抱持部を配管軸方向から正面視した際に、バンド抱持部が構成する円を略４等分する位置の各々に、バンド抱持部に抱持される配管の外周面に当接して押圧支持する配管押圧支持部１３が設けられており、配管押圧支持部は、バンド抱持部の縁部の一部を円の中心方向に向かって切り起して形成されている構成である。【選択図】図１【図１】
0005990807.tif 000002
【図２】
0005990807.tif 000003
【図３】
0005990807.tif 000004
【図４】
0005990807.tif 000005
【図５】
0005990807.tif 000006
【図６】
0005990807.tif 000007